(57)【特許請求の範囲】
【請求項１】
非接触型ＩＣカードにポーリングコマンドを送出し、前記ポーリングコマンドに対する応答が得られると前記非接触型ＩＣカードとの間で非接触によりデータ通信するデータ通信手段と、
前記データ通信手段の動作を制御して前記非接触型ＩＣカードに記録されたデータを取得する制御手段と、
前記制御手段の制御により、前記非接触型ＩＣカードに記録されたデータを表示する表示手段とを有するＩＣカードのアクセス装置であって、
所定のデータを記録するメモリを有し、
前記データ通信手段は、
前記非接触型ＩＣカードを非接触によりアクセスするアクセス装置からポーリングコマンドを受信すると前記アクセス装置との間でデータ通信を開始し、
前記制御手段は、
前記データ通信手段が前記ポーリングコマンドに対する応答を受信した場合には、前記非接触型ＩＣカードのアクセス装置として機能し、前記アクセス装置からポーリングコマンドを受信した場合には、非接触型ＩＣカードとして機能するように動作モードを切替える、ＩＣカードのアクセス装置。
【請求項２】
コンピュータに接続可能なインターフェースを有し、
前記インターフェースに接続したホスト装置のアクセスにより、前記メモリに記録したデータを前記ホスト装置に出力し、又は前記メモリに前記ホスト装置より出力されるデータを記録することを特徴とする請求項１に記載のＩＣカードのアクセス装置。
【請求項３】
前記制御手段は、
近接して保持された非接触型ＩＣカードを制御して、該非接触型ＩＣカード及び前記メモリで対応するデータを更新することを特徴とする請求項１に記載のＩＣカードのアクセス装置。
【発明の詳細な説明】
【０００１】
【発明の属する技術分野】
本発明は、ＩＣカードのアクセス装置に関し、例えば非接触型ＩＣカードの記録を確認するＩＣカードビュアーに適用することができる。本発明は、ＩＣカードのアクセス装置にＩＣカードの機能を設けることにより、ユーザーによる使い勝手を向上することができるようにする。
【０００２】
【従来の技術】
従来、ＩＣカードにおいては、大量のデータを記録して携帯できることにより、磁気記録によるカードに代えて、種々の用途に利用されるようになされている。
【０００３】
すなわち図８は、ＩＣカードとリーダライタとの関係を示す略線図である。ここでＩＣカード１は、ループアンテナ２及び集積回路３を配置した配線基板と、プラスチック等による板材とを積層して全体が薄板形状により構成される。ＩＣカード１は、ループアンテナ２に誘起される高周波信号の電力により集積回路３が動作し、この集積回路３の動作によりループアンテナ２を介してリーダライタ５との間で種々のデータを送受できるようになされている。
【０００４】
これに対してリーダライタ５は、ループアンテナ６を所定の駆動回路により駆動し、これによりＩＣカード１が接近すると、ＩＣカード１のループアンテナ２に高周波信号を誘起してＩＣカード１の動作を立ち上げるようになされている。
またリーダライタ５は、パーソナルコンピュータ等のホスト装置の要求に応じたＤＰＵ（Digital Processing Unit ）８の制御により、変復調回路７でループアンテナ６の駆動を切り換え、またループアンテナ６より得られる高周波信号を信号処理し、これによりＩＣカード１との間でコマンド、データを送受できるようになされている。
【０００５】
すなわち図９に示すように、リーダライタ５において、信号発生回路９は、ＤＰＵ８の制御により例えば周波数１３．５６〔ＭＨｚ〕の高周波信号を発生し、この高周波信号によりループアンテナ６を駆動する。ＤＰＵ８は、ホスト装置からの要求に応じて信号発生回路９に動作の開始を指示すると共に、ＩＣカード１に送出する各種データを変復調回路７に出力し、また変復調回路７で受信した各種データを取得する。ＤＰＵ８は、この処理の繰り返しにより、ＩＣカード１との間で相互認証等の処理を実行し、またホスト装置からのデータをＩＣカード１に記録し、またＩＣカード１に記録されたデータを読み出してホスト装置に出力する。
【０００６】
変復調回路７は、ＤＰＵ８の出力データを変調し、この変調結果によりループアンテナ６の終端インピーダンスを可変し、これによりこの出力データをＩＣカード１に送信する。また変復調回路７は、ループアンテナ６の終端インピーダンスを一定値に保持した状態で、ループアンテナ６における高周波信号を信号処理することにより、このループアンテナ６と結合したＩＣカード１側ループアンテナ２におけるインピーダンスの変化を検出する。変復調回路７は、これによりＩＣカード１より送出されたデータを受信し、受信したデータをＤＰＵ８に出力する。
【０００７】
ＩＣカード１においては、集積回路３に内蔵のダイオード１１と、抵抗１２及びコンデンサ１３によるローパスフィルタとにより、ループアンテナ２に誘起される高周波信号を検波する。電源回路１４は、この検波結果を整流した後、安定化することにより、動作用電源を生成する。
【０００８】
変復調回路１５は、コンデンサ１６及び抵抗１７によるハイパスフィルタを介して検波結果を入力し、この検波結果を処理することにより、リーダライタ５より送出されたデータを復調する。さらに変復調回路１５は、シーケンサー１９の制御によりシーケンサー１９の出力データを変調し、その変調結果により電界効果型トランジスタＦＥＴをオンオフ制御する。電界効果型トランジスタＦＥＴは、このオンオフ制御により、ダイオード１１のアノードに接続された負荷Ｚを接地する。これによりＩＣカード１では、リーダライタ５側のループアンテナ６と結合したループアンテナ２の終端インピーダンスを切り換えて、リーダライタ５に種々のデータを送信するようになされている。
【０００９】
シーケンサー１９は、電源回路１４から供給される電源により動作を開始し、変復調回路１５で検出されるリーダライタ５からのデータに応じて、変復調回路１５に種々のデータを出力する。これによりＩＣカード１は、リーダライタ５に接近して動作を開始してリーダライタ５からの呼びかけが検出されると、この呼びかけに応答し、さらには相互認証等の処理を実行するようになされている。さらにシーケンサー１９は、このような一連の処理の後、同様に変復調回路１５より入力されるデータに応じてメモリ２０をアクセスし、このメモリ２０の内容を更新し、またメモリ２０に保持した内容を変復調回路１５に出力する。
【００１０】
このような一連の処理により、ＩＣカード１を使用したシステムにおいては、ユーザー各人が携帯するＩＣカード１に各種個人情報を記録して部屋の入退出管理に利用できるようになされ、また各種商品の電子マネーによる決裁等に利用できるようになされている。
【００１１】
【発明が解決しようとする課題】
ところでこの種の非接触型ＩＣカードによるシステムにおいては、携帯してＩＣカードの記録を確認することができるＩＣカードビュアーの使用が考えられる。すなわち例えば電子マネーをＩＣカードに記録して利用する場合、さらにはプリペイドカードとしてＩＣカードを利用する場合、残額の確認等にＩＣカードビュアーを利用することが考えられる。このようなＩＣカードビュアーにおいては、ＩＣカードを非接触によりアクセスするアクセス装置であり、ＩＣカードをアクセスしてＩＣカードの記録をロードし、この記録を液晶表示部等で表示するように構成することが考えられる。
【００１２】
このようなＩＣカードビュアーに関して、単にＩＣカードの記録の確認に利用するだけでなく、種々の用途に利用できるように構成することができれば、ユーザーの使い勝手を一段と向上することができると考えられる。
【００１３】
本発明は以上の点を考慮してなされたもので、非接触型ＩＣカードの内容を確認するＩＣカードのアクセス装置に関して、ユーザーの使い勝手を向上することができるＩＣカードのアクセス装置を提案しようとするものである。
【００１４】
【課題を解決するための手段】
かかる課題を解決するため請求項１の発明においては、ＩＣカードのアクセス装置に適用して、所定のデータを記録するメモリを有し、データ通信手段は、非接触型ＩＣカードを非接触によりアクセスするアクセス装置との間でデータ通信し、制御手段は、この非接触型ＩＣカードを非接触によりアクセスするアクセス装置とのデータ通信において、先のメモリに記録されたデータを非接触型ＩＣカードを非接触によりアクセスするアクセス装置に出力し、又は非接触型ＩＣカードを非接触によりアクセスするアクセス装置より出力されるデータをメモリに記録する。
【００１５】
請求項１の構成によれば、ＩＣカードのアクセス装置に適用して、所定のデータを記録するメモリを有し、データ通信手段は、非接触型ＩＣカードを非接触によりアクセスするアクセス装置との間でデータ通信し、制御手段は、非接触型ＩＣカードを非接触によりアクセスするアクセス装置とのデータ通信において、メモリに記録されたデータを非接触型ＩＣカードを非接触によりアクセスするアクセス装置に出力し、又は非接触型ＩＣカードを非接触によりアクセスするアクセス装置より出力されるデータをメモリに記録することにより、このＩＣカードのアクセス装置を非接触型ＩＣカードと同様に使用して、種々のデータを記録することができる。従ってユーザーにおいては、必要に応じてこのＩＣカードのアクセス装置をＩＣカードとして使用することができ、その分使い勝手を向上することができる。
【００１６】
【発明の実施の形態】
以下、適宜図面を参照しながら本発明の実施の形態を詳述する。
【００１７】
（１）実施の形態の構成
図１は、本発明の実施の形態に係るＩＣカードビュアーを示すブロック図である。このＩＣカードビュアー３１は、非接触型ＩＣカードと正面側より見た外形形状がほぼ同一で、非接触型ＩＣカードに比して肉厚である板形状に形成される。これによりＩＣカードビュアー３１は、ＩＣカードと共に簡易に携帯できるようになされている。
【００１８】
このＩＣカードビュアー３１において、ループアンテナ３２は、変復調回路３３により駆動され、これにより図８について上述したＩＣカード１が接近して保持されると、ＩＣカード１のループアンテナ２に高周波信号を誘起してＩＣカード１の動作を立ち上げるようになされている。またＩＣカード１よりデータが送信されると、ＩＣカード１のループアンテナ２との結合により、このデータの送信による高周波信号の変化を変復調回路３３で検出できるようになされている。
またＩＣカード１に代えてリーダライタ５がこのＩＣカードビュアー３１に近接して保持された場合には、リーダライタ５のループアンテナ６とループアンテナ３２とが結合して種々にデータを送受できるようになされている。
【００１９】
変復調回路３３は、中央処理ユニット（ＣＰＵ）３４の制御により動作を開始してループアンテナ３２を駆動する。これによりＩＣカードビュアー３１では、中央処理ユニット３４の制御により近接して保持されたＩＣカード１の動作を立ち上げることができるようになされている。また変復調回路３３は、中央処理ユニット３４の出力データによりループアンテナ３２の終端インピーダンスを切り換え、これによりＩＣカード１と同一の手法によりループアンテナ３２の高周波信号を変調する。これによりＩＣカードビュアー３１は、近接して保持されたＩＣカード１、リーダライタ５に対して種々のデータを送信できるようになされている。また変復調回路３３は、中央処理ユニット３４の制御により所定期間の間、高周波信号の変調を中止し、ループアンテナ３２における高周波信号を検波する。変復調回路３３は、この検波結果を中央処理ユニット３４に出力し、ＩＣカードビュアー３１では、これにより近接して保持されたＩＣカード１、リーダライタ５より送出された各種のデータを受信できるようになされている。
【００２０】
ディスプレイドライバ３５は、中央処理ユニット３４の制御により液晶表示パネル（ＬＣＤ）３６を駆動する駆動回路である。液晶表示パネル３６は、このＩＣカードビュアー３１の表面により表示内容を確認できるように配置され、ＩＣカード１よりダウンロードした各種の情報等を表示する。これらによりディスプレイドライバ３５及び液晶表示パネル３６は、制御手段である中央処理ユニット３４の制御により、非接触型ＩＣカード１に記録されたデータを表示する表示手段を構成するようになされている。
【００２１】
電池３７は、ボタン型の電池であり、このＩＣカードビュアー３１の電源を供給する。操作子３８は、このＩＣカードビュアー３１の表面に配置された押圧操作子であり、電源の操作子、カーソルの操作子等により構成される。ＩＣカードビュアー３１は、この操作子３８の操作により動作を立ち上げ、さらには近接して保持されたＩＣカード１の内容を確認等できるようになされている。
【００２２】
メモリ３９は、不揮発性のメモリであり、このＩＣカードビュアー３１のプログラムを記録し、またこのＩＣカードビュアー３１がＩＣカードとして機能する場合には、ＩＣカードとしての各種のデータを記録する。
【００２３】
インターフェース（Ｉ／Ｆ）４０は、外部機器との間のインターフェースであり、このＩＣカードビュアー３１は、側面に形成された外部接続端子を介してこのインターフェース４０によりパーソナルコンピュータ等のホスト装置を接続できるようになされている。これによりこのＩＣカードビュアー３１は、図２に示すように、パーソナルコンピュータ（ＰＣ）等のホスト装置に接続して、このホスト装置より各種のデータ、プログラムをアップロードし、メモリ３９に保持した制御プログラムの更新等を実行できるようになされている。またこれとは逆に保持した電子マネー等のデータをパーソナルコンピュータ等にダウンロードできるようになされている。
【００２４】
中央処理ユニット３４は、このＩＣカードビュアー３１の動作を制御する制御手段を構成し、電源の操作子３８の操作により電源を立ち上げる。中央処理ユニット３４は、このようにして動作を立ち上げると、メモリ３９に記録された処理プログラムの実行により、変復調回路３３にループアンテナ３２の駆動を指示する。これにより中央処理ユニット３４は、ＩＣカード１が近接して保持されると、このＩＣカード１の動作を立ち上げるようになされている。
【００２５】
さらに中央処理ユニット３４は、一定の時間間隔で、ポーリングコマンドの送出を変復調回路３３に指示する。中央処理ユニット３４は、このようにして送出するポーリングコマンドに対する応答の検出が変復調回路３３より通知されると、変復調回路３３を介してこの応答を返した通信対象との間で一連のデータ交換処理を実行し、これにより相互認証の処理を実行する。その後、操作子３８の操作に応動してリードコマンド等を送出し、その応答をこの通信対象より取得して液晶表示パネル３６に表示する。
【００２６】
これにより図３に示すように、ＩＣカードビュアー３１においては、電源が立ち上げられると、通信対象となる非接触型ＩＣカード１に対して応答を呼び掛け、非接触型ＩＣカード１より応答が得られると、この非接触型ＩＣカード１のビュアーとして機能するようになされている。かくするにつき、図３のとの対比により図４にリーダライタと非接触型ＩＣカードとの間のデータ交換を示すように、ＩＣカードビュアー３１は、この場合、リーダライタ５と同様のシーケーンスによりＩＣカード１との間で種々のデータを交換するようになされている。
【００２７】
このデータ交換の処理において、中央処理ユニット３４は、液晶表示パネル３６に所定のデータを表示した状態で、ユーザーより所定の操作子３８が操作されると、データ交換対象である非接触型ＩＣカード１に記録されたこの表示に係るデータをメモリ３９に記録して保持する。これによりＩＣカードビュアー３１では、例えばＩＣカード１で使用した電子マネーの使用履歴等をこのＩＣカードビュアー３１に取り込んで保持できるようになされている。
【００２８】
この処理において、所定の操作子３８の操作により、例えばユーザーより電子マネーの移し替えが指示されると、中央処理ユニット３４は、メモリ３９の記録と、対応するＩＣカード１の記録とを更新する。すなわち中央処理ユニット３４は、ＩＣカード１をアクセスし、ＩＣカード１に記録された電子マネーの金額を取得する。中央処理ユニット３４は、この金額をメモリ３９に記録された電子マネーの金額に加算し、またこれに対応するように、ＩＣカード１に記録された電子マネーの減額を指示する。これによりＩＣカードビュアー３１では、ＩＣカード１に記録された電子マネー、プリペイドカードの残金等をＩＣカードビュアー３１側に移し換えることができるようになされている。
【００２９】
またユーザーがこれとは逆にこのＩＣカードビュアー３１に記録された電子マネー、プリペイドカードの残金等のＩＣカード１側への移し替えを指示すると、中央処理ユニット３４は、上述した処理とは逆に、メモリ３９側の金額を減額し、ＩＣカード１側の金額を増額する。これによりこのＩＣカードビュアー３１ではＩＣカード１に電子マネー等を移し換えることができるようになされている。
かくするにつきＩＣカードビュアー３１では、これらの処理を２つのＩＣカードとの間で実行することにより、１つのＩＣカード１に記録された電子マネー等を他のＩＣカード１に移し換えることもできるようになされている。これらによりこのＩＣカードビュアー３１は、リーダライタとしても機能して、その分ユーザーの使い勝手を向上するようになされている。
【００３０】
これに対してこのように間欠的にポーリングコマンドを送出してなる間に、他の機器より送信されたポーリングコマンドが変復調回路３３で受信されると、中央処理ユニット３４は、このポーリングコマンドを送出した機器との間のデータ交換により、必要に応じてＩＣカードビュアー３１がＩＣカードとして機能するように全体の動作モードを切り換える。
【００３１】
すなわちこのようなポーリングコマンドを送出してなる機器においては、同種のＩＣカードビュアー又はリーダライタ５であることにより、リーダライタ５よりポーリングコマンドが送出された場合を例に取って図５に示すように、中央処理ユニット３４は、ポーリングコマンドに応答を返し、さらにこの応答に続くデータ交換によりリーダライタ５との間で相互認証の処理を実行する。さらに続いてリーダライタ５との間で、機器の種別を示すコード、設定の状態を示すコード等を送受し、何れの機器がマスターに成るべきかを判定する。
【００３２】
この判定により中央処理ユニット３４は、ポーリングコマンドを送出してなる機器がリーダライタ５の場合、動作モードをＩＣカードとして機能する動作モードに切り換え、このリーダライタ５より送出されるコマンドに応動してメモリ３９に記録したデータをリーダライタ５に送信し、またメモリ３９の内容を更新する。これによりこのＩＣカードビュアー３１は、ＩＣカードとしても機能するように構成され、その分使い勝手を向上できるようになされている。
【００３３】
また図６に示すように、ポーリングコマンドを送出してなる機器が同種のＩＣカードビュアーの場合、リーダライタ５よりポーリングコマンドが送出された場合と同様に応答を返して相互認証の処理を実行し、さらに何れの機器がマスターに成るべきかを判定する。このように通信対象が同種のＩＣカードビュアーの場合、中央処理ユニット３４は、設定の状態を示すコードによりインターフェース４０に対する接続を通信対象との間で送受し、この設定の状態を示すコードにより、インターフェース４０にホスト装置が接続されている装置側をマスターに成るべき機器と判定する。また何れのＩＣカードビュアーもインターフェース４０にホスト装置が接続されていない場合、ユーザーによる操作子３８の操作を設定の状態を示すコードとして送信し、ユーザーによる操作子３８が操作された側がマスターに成るべき機器と判定する。
【００３４】
この判定によりマスターに成るべき機器と判定した場合、中央処理ユニット３４は、上述したＩＣカード１をアクセスする場合と同様の処理により、ポーリングコマンドを返したＩＣカードビュアーをアクセスする。これに対してスレーブ側のＩＣカードビュアーにおいて、中央処理ユニット３４は、動作モードをＩＣカードとして機能する動作モードに切り換え、マスター側ＩＣカードビュアーの要求によりメモリ３９に記録したデータを送信し、またメモリ３９の内容を更新する。
【００３５】
これによりこのＩＣカードビュアー３１は、図７に示すように、ＩＣカードビュアー間でも相互にデータを送受できるように構成され、パーソナルコンピュータに接続して、同種のＩＣカードビュアーの処理プログラム等を更新できるようになされ、またこのようなパーソナルコンピュータに接続されたＩＣカードビュアーにより種々のデータを提供できるようになされている。
【００３６】
（２）実施の形態の動作
以上の構成において、このＩＣカードビュアー３１においては（図１）、ＩＣカード１の内容を確認するために使用する場合には、例えばＩＣカード１の上に重ねて保持し、操作子３８を操作することにより内蔵の電源により動作を開始する。ＩＣカードビュアー３１は、これによりループアンテナ３２を高周波信号により駆動してポーリングコマンドを送出し（図３）、ＩＣカード１側のループアンテナ２にこの高周波信号が誘起されることにより（図８及び図９）、ＩＣカード１の動作を立ち上げる。さらにこのＩＣカード１の動作の立ち上げにより、ＩＣカード１よりポーリングコマンドの応答が得られると、相互認証の処理を実行し、ユーザーによる一連の操作に応動してＩＣカード１より種々のデータを読み出し、このデータを液晶表示パネル３６にて表示する。これによりこのＩＣカードビュアー３１は、携帯して使用してＩＣカード１の内容を確認することができる。
【００３７】
さらにこのユーザーの操作によるＩＣカードのアクセスにおいて、ＩＣカードビュアー３１は、ユーザーにより電子マネーの移し替え等が指示されると、ＩＣカード１に記録された電子マネーの金額とメモリ３９に保持した電子マネーの金額とを変更するように、ＩＣカード１との間でデータ交換する。これによりこのＩＣカードビュアー３１においては、携帯して、必要に応じてリーダライタとしても使用することができ、その分ユーザーの使い勝手を向上することができる。
すなわちこのようなＩＣカード１により電子マネーを使用する場合、さらにはＩＣカード１をプリペイドカードとして使用する場合、ＩＣカード１に端数の金額が取り残される場合もある。このような場合に、単にビュアーとしてだけなくリーダライタとして使用してこのような電子マネー等を移し替えることができれば、端数の金額をまとめて使い切ることができ、その分ユーザーの使い勝手を向上することができる。
【００３８】
これに対して例えばパーソナルコンピュータにより買い物の記録等をアップロードする場合、ＩＣカードビュアー３１においてはインターフェース４０を介してホスト装置に接続される（図２）。さらにユーザーの操作により電源を立ち上げ、ループアンテナ３２を高周波信号により駆動してポーリングコマンドを送出する。これによりＩＣカード１が近接して保持されると、ＩＣカードビュアー３１を単独で使用する場合と同様に、ＩＣカード１の動作を立ち上げて相互認証等の処理を実行し、この場合、パーソナルコンピュータの制御によりＩＣカード１をアクセスする。これによりＩＣカードビュアー３１は、ホスト装置に接続されてリーダライタとして使用することができ、その分、使い勝手を向上することができる。
【００３９】
このようにしてポーリングコマンドを送出する際に、ＩＣカードビュアー３１は、一定の間隔でポーリングコマンドを送出し、このポーリングコマンド間で、ＩＣカードによる応答に代えて他の機器より送出されたポーリングコマンドが受信されると、相互認証の処理を実行した後、このポーリングコマンドを送出した機器との間で、何れの機器がリーダライタ側であるマスター側と成るべきかを判定する。
【００４０】
この判定によりＩＣカードビュアー３１においては、ポーリングコマンドを送出した機器がリーダライタの場合、動作モードをＩＣカードの動作にモードに切り換える。また通信対象がＩＣカードビュアー３１の場合、インターフェースにホスト装置が接続されている側をリーダライタに成るべき機器と判定する。またインターフェース４０の接続によっては判定できない場合、電源の操作子を除いて、ユーザーが操作子３８を操作した側がリーダライタに成るべき機器と判定する。
【００４１】
ＩＣカードビュアー３１は、この判定によりリーダライタとして機能する場合には、パーソナルコンピュータに接続された場合、さらには通信対象がＩＣカード１の場合と同様に、通話対象のＩＣカードをアクセスする。これに対して通信対象がリーダライタとなるべきと判定した場合、ＩＣカードとして機能するように中央処理ユニット３４により全体が制御される。これによりＩＣカードビュアー３１は、この通信対象の制御によりメモリ３９の内容をダウンロードし、またこのメモリ３９の内容を更新する。
【００４２】
これによりＩＣカードビュアー３１は、単にＩＣカードの記録を確認するだけでなく、ＩＣカードをしても使用することができ、その分、従来に比して格段的に使い勝手を向上することができる。
【００４３】
（３）実施の形態の効果
以上の構成によればＩＣカードのアクセス装置であるＩＣカードビュアーにＩＣカードの機能を設けることにより、ユーザーによる使い勝手を従来に比して格段的に向上することができる。
【００４４】
またコンピュータに接続可能なインターフェース４０を設け、このインターフェース４０に接続したホスト装置のアクセスにより、メモリに記録したデータ３９をホスト装置に出力し、またメモリ３９にホスト装置より出力されるデータを記録することにより、パーソナルコンピュータ等により直接アクセスすることができ、またリーダライタとしても使用することができる。
【００４５】
（４）他の実施の形態
なお上述の実施の形態においては、通信対象がＩＣカードビュアーの場合、接続の状態等によりマスター、スレーブを設定して機能を切り換える場合について述べたが、本発明はこれに限らず、これら以外の判定によりマスター、スレーブを設定して機能を切り換えるようにしてもよい。
【００４６】
また上述の実施の形態においては、通信対象によってリーダライタとＩＣカードとで機能を切り換える場合について述べたが、本発明はこれに限らず、例えば通信対象がＩＣカードビュアーの場合、機能の切り換えを中止して通話対象がＩＣカード、リーダライタの場合とは異なる処理手順によりデータ交換等の処理を実行するようにしてもよい。
【００４７】
また上述の実施の形態においては、非接触型のＩＣカードシステムに本発明を適用する場合について述べたが、本発明はこれに限らず、接触型のＩＣカードによるシステムにも広く適用することができる。
【００４８】
【発明の効果】
上述のように本発明によれば、ＩＣカードのアクセス装置にＩＣカードの機能を設けることにより、ユーザーによる使い勝手を向上することができる。
【図面の簡単な説明】
【図１】本発明の実施の形態に係るＩＣカードビュアーを示すブロック図である。
【図２】図１のＩＣカードビュアーの使用例を示すブロック図である。
【図３】図２の使用例による通信手順を示すタイムチャートである。
【図４】リーダライタとＩＣカードとの通信手順を示すタイムチャートである。
【図５】リーダライタとＩＣカードビュアーとの通信手順を示すタイムチャートである。
【図６】ＩＣカードビュアー間の通信手順を示すタイムチャートである。
【図７】図６のＩＣカードビュアー間の通信による使用例を示すブロック図である。
【図８】従来のＩＣカード及びリーダライタを示す略線図である。
【図９】図８のＩＣカード及びリーダライタを示すブロック図である。
【符号の説明】
1 ……ＩＣカード、２、６、３２……ループアンテナ、７、１５、３３……変復調回路、５……リーダライタ、３１……ＩＣカードビュアー、３４……中央処理ユニット、４０……インターフェース
【図１】
0004576710.tif 000002
【図２】
0004576710.tif 000003
【図３】
0004576710.tif 000004
【図４】
0004576710.tif 000005
【図５】
0004576710.tif 000006
【図６】
0004576710.tif 000007
【図７】
0004576710.tif 000008
【図８】
0004576710.tif 000009
【図９】
0004576710.tif 000010